(57)【要約】【課題】  地面から浮かした状態で草刈り作業を行うことを容易とし、しかも、不意に地面に接触した場合に小石等を大きく弾き飛ばすことを防止する。【解決手段】  刈払機Ｂの駆動軸２に嵌合固定させてある受け具１０との間で回転刃１を挟持固定するように、回転刃１の下面側に取り付けて用いられる刈払機の刃押え具Ａを、合成樹脂製の保護筒部５に押え金具３をインサート成形することで形成する。押え金具３は、刈払機Ｂの駆動軸２が挿通された状態で回転刃１の下面を押圧するものである。保護筒部５は、駆動軸２の下端部を収容するように形成したものである。【選択図】図１
2010213608.tif 000002
【特許請求の範囲】
【請求項１】
刈払機の駆動軸に嵌合固定させてある受け具との間で回転刃を挟持固定するように、回転刃の下面側に取り付けて用いられる刈払機の刃押え具であって、刈払機の駆動軸が挿通された状態で回転刃の下面を押圧する押え金具と、駆動軸の下端部を収容するように形成した合成樹脂製の保護筒部とを、合成樹脂製の保護筒部に押え金具をインサート成形して結合させたことを特徴とする刈払機の刃押え具。
【請求項２】
合成樹脂製の上記保護筒部の外周面の下側部分を、斜め下方をむく凸曲面に形成したことを特徴とする請求項１記載の刈払機の刃押え具。
【請求項３】
合成樹脂製の保護筒部の下端部分から外方にフランジ部を延設し、該フランジ部の外周面の下側部分を、斜め下方をむく凸曲面に形成したことを特徴とする請求項１記載の刈払機の刃押え具。
【請求項４】
上記押え金具は、プレス成型して形成した段差によって、押え金具の外周上縁部に他よりも高い環状部を形成し、環状部の上面を回転刃取付面にするとともに、環状部に周方向に間隔を隔てて貫通孔を形成し、環状の回転刃取付面の半径方向の中間部には貫通孔を周方向につなぐように隆起した当接リブを形成したものであり、上記押え金具の貫通孔に保護筒部の合成樹脂部分を導入することによって、保護筒部と押え金具を結合させたことを特徴とする請求項１〜３のいずれか一項記載の刈払機の刃押え具。
【請求項５】
請求項１〜４のいずれか一項記載の刃押え具を備えていることを特徴とする刈払機。
【発明の詳細な説明】
【技術分野】
【０００１】
本発明は、草刈り用の刈払機の刃押え具及びこれを備えた刈払機に関する。
【背景技術】
【０００２】
草刈り用の刈払機においては、チップソーのような回転刃を取り付けるにあたって、駆動軸に嵌合させた受け具と刃押え具との間に、回転刃を挟持固定させることが一般的である。受け具は回転刃の上面側に当てる部材であり、金属の材質で成形される。また、刃押え具は回転刃の下面側に当てる部材であり、やはり金属の材質で成形される（例えば、特許文献１参照）。
【０００３】
草刈り作業時には、刃押え具の下端部分が最も下方に突出した状態となる。そのため、この刃押え具の下端部分を地面から浮かせながら作業を行うことが通常である。
【０００４】
しかし、従来の刈払機においては、上記のように刃押え具の全体が金属で成形されているため重量が大きくなり、刃押え具を地面から浮かした状態で作業を続けるためには労力が必要になるという問題がある。加えて、駆動軸と一体に回転する金属製の刃押え具の下端部分が不意に地面と接触した際には、地面上の小石等を大きく弾き飛ばして危険であるといった問題もある。
【先行技術文献】
【特許文献】
【０００５】
【特許文献１】特開２００８−１６１０６２号公報
【発明の概要】
【発明が解決しようとする課題】
【０００６】
本発明はこのような問題を解決すべく発明されたものであって、回転刃を強固に挟持固定できることは勿論のこと、地面から浮かした状態で草刈り作業を行うことが容易であり、不意に地面に接触した場合であっても小石等を大きく弾き飛ばすことを防止することのできる刈払機の刃押え具を提供することを、課題とする。更に、この刃押え具を備えた刈払機を提供することを、課題とする。
【課題を解決するための手段】
【０００７】
上記課題を解決する本発明の刃押え具Ａは、刈払機Ｂの駆動軸２に嵌合固定させてある受け具１０との間で回転刃１を挟持固定するように、回転刃１の下面側に取り付けて用いられるものである。上記刃押え具Ａは、刈払機Ｂの駆動軸２が挿通された状態で回転刃１の下面を押圧する押え金具３と、駆動軸２の下端部を収容するように形成した合成樹脂製の保護筒部５とを、合成樹脂製の保護筒部５に押え金具３をインサート成形して結合させたことを特徴とする。
【０００８】
上記構成を具備する本発明の刃押え具Ａによれば、押え金具３によって回転刃１を強固に挟持固定できる。そして、保護筒部５は合成樹脂製であって軽量であるから、地面から浮かした状態で草刈り作業を行うことが容易となる。加えて、保護筒部５が不意に地面に接触した場合であっても、保護筒部５の材質的な柔軟性によって、小石等を大きく弾き飛ばすことが防止される。
【０００９】
本発明の刃押え具Ａにおいては、合成樹脂製の上記保護筒部５の外周面の下側部分を、斜め下方をむく凸曲面６に形成することが好ましい。このように、保護筒部５において小石等に当たる可能性が高い部分を、合成樹脂の柔軟性を有し且つ斜め下方をむく凸曲面６としたことにより、小石等を大きく弾き飛ばすことがさらに防止される。
【００１０】
また、本発明の刃押え具Ａにおいて、合成樹脂製の保護筒部５の下端部分から外方にフランジ部４０を延設し、該フランジ部４０の外周面の下側部分を、斜め下方をむく凸曲面４１に形成することも好ましい。このように、保護筒部５において小石等に当たる可能性が高い部分を、合成樹脂の柔軟性を有し且つ斜め下方をむく凸曲面４１としたことにより、小石等を大きく弾き飛ばすことがさらに防止される。この凸曲面４１は、フランジ部４０の外周面の下側部分に形成しているので、全体の面積を大きくとることや、滑らかな曲面とすることが容易である。この点においても、凸曲面４１によって小石等を大きく飛ばすことがさらに防止されることとなる。
【００１１】
また、本発明の刃押え具Ａにおいて、上記押え金具３は、プレス成型して形成した段差によって、押え金具３の外周上縁部に他よりも高い環状部３４を形成し、環状部３４の上面を回転刃取付面８にするとともに、環状部３４に周方向に間隔を隔てて貫通孔１７を形成し、環状の回転刃取付面８の半径方向の中間部には貫通孔１７を周方向につなぐように隆起した当接リブ３６を形成したものとし、上記押え金具３の貫通孔１７に保護筒部５の合成樹脂部分３５を導入することによって、保護筒部５と押え金具３を結合させることが好ましい。
【００１２】
このようにすることで、環状の回転刃取付面８より隆起している当接リブ３６は合成樹脂部分３５で分断されているとはいえ略環状を成すものとなる。したがって、押え金具３の成形時等において回転刃取付面８に歪が発生した場合であっても、回転刃取付面８より一段高く、かつ、略環状となった当接リブ３６が回転刃１に安定的に当接する。これにより、回転刃１の取り付けが良好に行われる。
【００１３】
また、上記課題を解決するために本発明の刈払機Ｂを、上記構成から成る刃押え具Ａを備えたものとしてもよい。
【発明の効果】
【００１４】
本発明によれば、回転刃を強固に挟持固定できることは勿論のこと、地面から浮かした状態で草刈り作業を行うことが容易となる。加えて、不意に地面に接触した場合であっても、小石等を大きく弾き飛ばすことが防止される。
【図面の簡単な説明】
【００１５】
【図１】本発明の実施形態における一例の刃押え具を取り付けた状態の刈払機を示す要部側断面図である。
【図２】同上の刈払機の斜視図である。
【図３】同上の押え金具を示し、（ａ）は平面図、（ｂ）は断面図である。
【図４】同上の刃押え具を示し、（ａ）は下方からの斜視図、（ｂ）は上方からの斜視図である。
【図５】本発明の実施形態における他例の刃押え具を取り付けた状態の刈払機を示す要部側断面図である。
【発明を実施するための形態】
【００１６】
以下、本発明の実施形態を添付図面に基づいて説明する。
【００１７】
図１には、本発明の実施形態における一例の刃押え具Ａを刈払機Ｂに取り付けた状態を示している。図２は、刈払機Ｂの斜視図である。
【００１８】
刈払機Ｂは、中空の主軸１４の内部に回転軸３２を挿通させたものであり、回転軸３２の先端部には水平回転伝導部を構成している。水平回転伝導部からは駆動軸２を垂下しており、該駆動軸２に対して、下方からの締め手段によってチップソーのような回転刃１を取替え可能に取付けている。
【００１９】
主軸１４の途中にはハンドル１３を設けている。また主軸１４の基端側にはエンジン１５を搭載しており、エンジン１５の駆動によって回転軸３２、水平回転伝導部、駆動軸２を介して回転刃１が駆動回転される。主軸１４には、さらに安全カバー１６と肩紐１２を取り付けており、肩紐１２を肩に掛けたうえでハンドル１３を持ち、刈払機Ｂを左右に揺動させながら草刈りを行うようになっている。
【００２０】
刃押え具Ａは、回転刃１を下面側から押圧して駆動軸２に固定するために用いるものであり（図１参照）、刈払機Ｂの駆動軸２を挿通させて取り付けるリング状の押え金具３と、押え金具３に挿通された駆動軸２の下端部を収容する凹所４を内部に有する保護筒部５とで、形成される。保護筒部５は上下に貫通した円筒状の外形を有するものであり、該保護筒部５の外周面の下側部分には、該保護筒部５の下端縁と滑らかにつながる凸曲面６を全周にわたって形成している。凸曲面６は、下側ほど小径となるように湾曲させて形成してある。
【００２１】
保護筒部５は合成樹脂製であり、軽量であるとともに十分な強度を有する。この合成樹脂製の保護筒部５に、金属板をプレス加工して成形した押え金具３をインサート成形して一体化する。
【００２２】
機械的強度を有する押え金具３には、段付きの貫通孔１７を、周方向に間隔を隔てて複数個形成している（図３参照）。各貫通孔１７内には、インサート成形時に保護筒部５の合成樹脂部分３５が充填される。これにより、押え金具３と保護筒部５との接続強度は十分なものとなる。
【００２３】
刈払機Ｂの駆動軸２の下端部には雄ねじ部１９を形成しており、該雄ねじ部１９の上側には、スプライン軸部１８を隣接して形成している。駆動軸２のスプライン軸部１８には、刈払機Ｂ側に備品として備えてある金属製の受け具１０の、中央のスプライン孔２０を嵌合させている。
【００２４】
回転刃１を取り付けるに際しては、受け具１０の下面に設けてある回転刃受面２７に、回転刃１の上面を当接させる。このとき、受け具１０の下面中央部から突設したボス２２には、回転刃１が中央に有する円形の挿通孔２１を嵌合させる。受け具１０のボス２２よりも外周側の部分が、回転刃１を取り付けるための回転刃受面２７となる。
【００２５】
そして、刃押え具Ａの押え金具３が中央に有する挿通孔２３内に、駆動軸２を挿通させる。駆動軸２の雄ねじ部１９は、押え金具３から下方に突出するので、該雄ねじ部１９に下方からナット２４をねじ込むことで、回転刃１を駆動軸２に取り付け固定することができる。
【００２６】
ナット２４の上方へのねじ込みによって、押え金具３（ひいては刃押え具Ａの全体）に上方への押圧力が加えられる。該押圧力によって、回転刃１は、刃受け具１０の回転刃受面２７と、刃押え具Ａの上面である回転刃取付面８との間で、挟持固定される。
【００２７】
以下においては、刃押え具Ａを形成する押え金具３と保護筒部５の構成について、更に詳述する。
【００２８】
図３には、押え金具３を示している。図示のように、押え金具３は、プレス成型によって段差を形成した皿状の金属製部材である。押え金具３の一段高く設けた外周上縁部には、他よりも高い環状部３４が形成されている。該環状部３４の上面が、回転刃１を取り付けるための回転刃取付面８である。
【００２９】
環状部３４の内径Ｆは、刈払機Ｂ側の備品である受け具１０のボス２２の外径と等しく設けており、環状部３４の内周面がボス２２の外周面に全周にわたって当接することで、刃押え具Ａの芯出しを行うように設けている。
【００３０】
押え金具３の貫通孔１７は、環状部３４において周方向に間隔を隔てて形成したものである。各貫通孔１７の内部には、保護筒部５の合成樹脂部分３５が導入される。貫通孔１７内に導入された合成樹脂部分３５の上面は、回転刃取付面８と略面一となるように成形する。
【００３１】
また、貫通孔１７の孔縁と、環状部３４の上部外縁には、面取りによってテーパー３８を形成している。このテーパー３８に合成樹脂が回り込むことで、押え金具３と保護筒部５との結合強度がさらに高められる。
【００３２】
環状を成す回転刃取付面８の半径方向の中間部には、隣接する貫通孔１７同士を周方向につなぐように、当接リブ３６を隆起させている。当接リブ３６の高さは０．０２ｍｍ程度であるが、適宜に変更可能である。
【００３３】
つまり、隣接する当接リブ３６、３６間には、回転刃取付面８と略面一であって当接リブ３６の高さ分だけ低くなった合成樹脂部分３５の頂面が存在することになる。当接リブ３６は、貫通孔１７（合成樹脂部分３５）によって周方向に分断されて弧状を成すが、当接リブ３６全体としては環状に形成される。
【００３４】
したがって、仮にプレス成型時や貫通孔１７の打ち抜き加工時において押え金具３に歪が生じ、回転刃取付面８に歪が発生していたとしても、回転刃取付面８よりも一段高く且つ環状に成形された当接リブ３６は、回転刃１に対して安定的に当接する。当接リブ３６の回転刃１下面に対する当接が安定することで、回転刃１の取り付けが良好に行われる。
【００３５】
上記構成から成る一例の刃押え具Ａによれば、上端部分に位置する金属製である押え金具３によって、同じく金属製である受け具１０との間で回転刃１を強固に挟持固定することができる。
【００３６】
しかも、駆動軸２の下端部を収容する保護筒部５は合成樹脂製の小型円筒状部材であり、十分な強度を保持しながらも金属に比較して非常に軽量なものとして成形されているので、使用者にとっては保護筒部５を地面から浮かした状態で草刈り作業を行うことが容易である。
【００３７】
さらに、この保護筒部５は合成樹脂製であって金属に比較して柔軟性を有するものなので、保護筒部５が不意に地面に接触した場合であっても、駆動軸２と一体に回転する保護筒部５が小石等を大きく弾き飛ばすことが防止される。特に、一例の保護筒部５においては、小石等と接触する可能性の高い部分（外周面の下側部分）を、斜め下方をむく凸曲面６としており、この柔軟性を有する凸曲面６が、小石等を大きく弾き飛ばすことをさらに防止するように機能する。
【００３８】
次に、本発明の実施形態における他例の刃押え具Ａおよびこれを備えた刈払機Ｂについて、図５に基づいて説明する。なお、上記した一例と同様の構成については詳しい説明を省略し、一例とは相違する特徴的な構成についてのみ以下に詳述する。
【００３９】
他例の刃押え具Ａにあっては、合成樹脂製の保護筒部５の下端部分から、外方にむけてフランジ部４０を延設している。フランジ部４０は保護筒部５の全周にわたって形成しており、該フランジ部４０の下側部分の外周面を、保護筒部５の下端と滑らかに繋がる凸曲面４１としている。凸曲面４１は、下側ほど小径となるように湾曲させて形成してあり、全体が斜め下方をむくように設けている。
【００４０】
上記構成から成る他例の刃押え具Ａによれば、小石等が弾かれることを防止するための合成樹脂製の凸曲面４１を、一例の凸曲面６と比較してさらに大面積であり、且つ、一例の凸曲面６よりもさらに緩やかな曲面として形成することができる。しかも、上記凸曲面４１を形成するためにフランジ部４０を突設するだけでよいので、保護筒部５（ひいては刃押え具Ａ全体）の重量は、一例の場合と比較しても略変わりないものとなる。
【００４１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４２】
１  回転刃
２  駆動軸
３  押え金具
４  凹所
５  保護筒部
８  回転刃取付面
１０  受け具
１７  貫通孔
３４  環状部
３５  合成樹脂部分
３６  当接リブ
４０  フランジ部
４１  凸曲面
Ａ  刃押え具
Ｂ  刈払機
【図１】
2010213608.tif 000003
【図２】
2010213608.tif 000004
【図３】
2010213608.tif 000005
【図４】
2010213608.tif 000006
【図５】
2010213608.tif 000007